(57)【要約】【課題】光源から出射された光の所定の方向への出射効率の低下を防止する。【解決手段】照明モジュール１は、第１端部２１、第２端部２２および光出射面（第１の面２ａまたは第２の面２ｂ）を有する導光板２と、第１端部２１と対向して配置されたＬＥＤ４と、光拡散粒子２ｃとを備える照明部材２０と、第２端部２２において、照明部材２０を窓枠１１に対して第２端部２２を軸として回動可能に固定するヒンジ部１０と、を備える。【選択図】図１
2014049261.tif 000002
【特許請求の範囲】
【請求項１】
第１端部、当該第１端部と反対側の端部である第２端部、および、当該第１端部から当該第２端部に向けて導光した光を出射する光出射面を有するライトガイドと、
上記第１端部と対向して配置され、当該第１端部に光を出射する光源と、
上記ライトガイドの内部または近傍に配置され、当該ライトガイドを導光した光の進行方向を変更し、上記光出射面から出射させる進行方向変更機構と、を備える照明部材と、
上記第２端部において、上記照明部材を、上記照明部材が取り付けられる取り付け対象に対して、上記第２端部を軸として回動可能に固定する固定部材と、を備えることを特徴とする照明装置。
【請求項２】
上記照明装置は、照明の主対象となる照明空間と、当該照明空間以外の空間である非照明空間とを仕切るように配置されており、
上記固定部材は、上記第２端部において上記照明部材を回動可能に固定することにより、上記照明空間と上記非照明空間との間における当該照明部材の開閉動作を可能とし、
上記照明部材は、当該照明部材の閉状態時に、上記光出射面が照明空間と対向するように配置されていることを特徴とする請求項１に記載の照明装置。
【請求項３】
上記照明装置は、建造物の窓に取り付けられる窓照明装置として機能するものであり、
上記照明空間は、建造物の内部に設けられた部屋の室内であり、
上記非照明空間は、上記部屋の室外であることを特徴とする請求項２に記載の照明装置。
【請求項４】
上記照明部材の回転角度が一定となるように、当該照明部材を保持する角度保持部材を備えることを特徴とする請求項１から３のいずれか１項に記載の照明装置。
【請求項５】
上記ライトガイドの全端部を囲むように配置された枠体を備え、
上記固定部材は、上記枠体に取り付けられていることを特徴とする請求項１から４のいずれか１項に記載の照明装置。
【請求項６】
上記ライトガイドの上記光出射面から出射される光の光強度が最大となる範囲である光出射角度は、上記第１端部から上記第２端部に向かう方向を基準として、上記光出射面の法線方向に向けて０度よりも大きく４０度以下であることを特徴とする請求項１から５のいずれか１項に記載の照明装置。
【請求項７】
上記進行方向変更機構は、上記ライトガイドの内部に含まれる、上記光源から出射された光を拡散する光拡散物質であることを特徴とする請求項１から６のいずれか１項に記載の照明装置。
【請求項８】
上記ライトガイドは、第１の面と、当該第１の面と反対側の表面である第２の面とを有しているともに、当該第１の面および当該第２の面のいずれかが、上記光出射面であり、
上記第１の面に対向して配置され、当該第１の面を保護する第１のカバー部材と、
上記第２の面に対向して配置され、当該第２の面を保護する第２のカバー部材と、を備え、
上記第１のカバー部材および第２のカバー部材は、透光性を有するとともに、互い異なる光反射率を有していることを特徴とする請求項１から７いずれか１項に記載の照明装置。
【請求項９】
上記照明装置は、照明の主対象となる照明空間と、当該照明空間以外の空間である非照明空間とを仕切るように配置されているとともに、上記光出射面が上記第２の面であり、
上記第１のカバー部材の上記ライトガイドと対向する面と反対側の面は、上記非照明空間に接しているとともに、
上記第２のカバー部材の上記ライトガイドと対向する面と反対側の面は、上記照明空間に接しており、
上記第１のカバー部材の光反射率は、上記第２のカバー部材の光反射率よりも高いことを特徴とする請求項８に記載の照明装置。
【請求項１０】
上記ライトガイドと上記第１のカバー部材とが離間して設けられているとともに、
上記ライトガイドと上記第２のカバー部材とが離間して設けられていることを特徴とする請求項８または９に記載の照明装置。
【発明の詳細な説明】
【技術分野】
【０００１】
本発明は、光源から出射された光を導光するライトガイドを備えた照明装置に関する。
【背景技術】
【０００２】
ＬＥＤ（発光ダイオード）は電力消費が少なく長寿命であることから、電球を用いた照明装置に代えてＬＥＤを用いた照明装置が開発されている。このような照明装置の一例として、特許文献１に開示されている。特許文献１には、（１）天窓と、（２）光源に隣接して配設され、側面から入射された光源からの光と、天窓を介して入射された太陽光とを、その下方（天窓とは反対側）に出射する導光板と、を有する照明装置が開示されている。これにより、導光板を照明部材および採光部材として機能させることができる。
【先行技術文献】
【特許文献】
【０００３】
【特許文献１】特開２０１２−４９０５０号公報（２０１２年３月８日公開）
【発明の概要】
【発明が解決しようとする課題】
【０００４】
しかしながら、特許文献１の導光板は、アーケードに固定的に配設されており、それ自体が移動可能なように、例えば開閉可能なようには配設されていない。すなわち、特許文献１では、導光板からなる窓を開けた状態で、光源を点灯して照明することは想定していない。
【０００５】
したがって、特許文献１では、導光板が開閉するように設置されている場合に生じる、その開閉に基づく光の出射方向の変化については考慮されていない。それゆえ、特許文献１の導光板が開閉可能となった場合には、その開閉状態によっては、上記光の出射方向の変化によって、導光板の下方への光出射効率が低下してしまう可能性があった。
【０００６】
本発明は、上記の問題点を解決するためになされたもので、その目的は、照明装置が移動可能に設置されている場合であっても、光源から出射された光の所定の方向への出射効率の低下を防止することが可能な照明装置を提供することにある。
【課題を解決するための手段】
【０００７】
本発明に係る照明装置は、上記の課題を解決するために、
第１端部、当該第１端部と反対側の端部である第２端部、および、当該第１端部から当該第２端部に向けて導光した光を出射する光出射面を有するライトガイドと、
上記第１端部と対向して配置され、当該第１端部に光を出射する光源と、
上記ライトガイドの内部または近傍に配置され、当該ライトガイドを導光した光の進行方向を変更し、上記光出射面から出射させる進行方向変更機構と、を備える照明部材と、
上記第２端部において、上記照明部材を、上記照明部材が取り付けられる取り付け対象に対して、上記第２端部を軸として回動可能に固定する固定部材と、を備えることを特徴としている。
【０００８】
上記構成によれば、照明部材は、ライトガイド、光源および進行方向変更機構を備えている。進行方向変更機構をライトガイドの内部または近傍に配置することにより、光源から出射され、ライトガイドを導光した光の進行方向（光伝播方向）を変更することができるので、当該光を光出射面全体から効率よく出射することができる。すなわち、照明装置の照明光の出射範囲を拡げることができる。
【０００９】
ここで、進行方向変更機構によって第１端部から入射した光の進行方向が変更される場合、変更後の光の進行方向は、変更前の光の進行方向（進行方向変更機構へ向かう光の進行方向）に依存する。そのため、当該変更後の光の強度分布は、光出射面の法線方向よりも、変更前の光の進行方向へと拡がることになる。したがって、第１端部と対向して光源が配置されている場合、光出射面から出射される光の光量は、第１端部側よりも第２端部側の方が多くなる。
【００１０】
また、照明部材は、回動前の所定の位置（例えば、照明装置が窓に取り付けられる窓照明装置として機能する場合には、当該窓が閉じた状態であるときの位置）において所定の空間を照明している。それゆえ、第１端部において、照明部材を取り付け対象に対して第１端部を軸として回動可能に固定した場合、照明部材が回動して上記所定の位置から離れるほど、光出射面から出射される光の出射範囲の、所定の空間以外の空間への拡がりが大きくなるため、当該所定の空間への出射光量が低下してしまう（例えば図７参照）。
【００１１】
一方、本発明に係る照明装置では、第１端部と対向して光源が配置されている（すなわち第１端部側に光源が配置されている）とともに、第２端部において、照明部材を取り付け対象に対して第２端部を軸として回動可能に固定する固定部材が備えられている。この構成によれば、軸となる第２端部側への出射光量を多くすることができるため、照明部材が回動して上記所定の位置から離れた場合であっても、光出射面から出射される光の出射範囲を所定の空間内とする（変更後の光の進行方向を所定の空間に向ける）ことができるので、当該所定の空間への出射光量の低下を防ぐことができる（例えば図６参照）。
【００１２】
したがって、本発明の照明装置によれば、移動可能な照明部材を備えた場合であっても、光源から出射された光の所定の方向への出射効率の低下を防止することができる。
【００１３】
さらに、本発明に係る照明装置は、照明の主対象となる照明空間と、当該照明空間以外の空間である非照明空間とを仕切るように配置されており、
上記固定部材は、上記第２端部において上記照明部材を回動可能に固定することにより、上記照明空間と上記非照明空間との間における当該照明部材の開閉動作を可能とし、
上記照明部材は、当該照明部材の閉状態時に、上記光出射面が照明空間と対向するように配置されていることが好ましい。
【００１４】
上記構成によれば、照明部材の閉状態時に、光出射面が、照明の主対象となる照明空間と対向するように配置されているので、当該閉状態時には、少なくとも光出射面から出射された光の全てを当該照射空間へと導くことができる。
【００１５】
また、照明部材は、固定部材により、照明空間と非照明空間との間における開閉動作が可能となっている。そのため、照明部材が開状態となっても、光出射面から出射された光の進行方向を、軸となる第２端部側へと向けることができるので、当該光を照明空間側へと導くことができる。それゆえ、照明空間側への出射効率の低下を防止することができ、光源から出射された光の利用効率を向上させることができる。
【００１６】
さらに、本発明に係る照明装置は、建造物の窓に取り付けられる窓照明装置として機能するものであり、
上記照明空間は、建造物の内部に設けられた部屋の室内であり、
上記非照明空間は、上記部屋の室外であることが好ましい。
【００１７】
上記構成によれば、照明の主対象となる照明空間である部屋の室内への出射効率を向上させることができる。
【００１８】
さらに、本発明に係る照明装置では、上記照明部材の回転角度が一定となるように、当該照明部材を保持する角度保持部材を備えることが好ましい。
【００１９】
上記構成によれば、角度保持部材により、照明部材を上記回動前の所定の位置（例えば閉状態時の位置）から離れた位置（例えば開状態時の位置）に固定することができる。それゆえ、そのような状態に固定して所定の空間を照明することが可能となる。
【００２０】
さらに、本発明に係る照明装置では、上記ライトガイドの全端部を囲むように配置された枠体を備え、
上記固定部材は、上記枠体に取り付けられていることが好ましい。
【００２１】
上記構成によれば、枠体に固定部材が取り付けられていることにより、固定部材をライトガイドに直接接続することにより、照明部材を取り付け対象に固定した場合に比べ、その固定強度を向上させることができる。また、照明部材の取り付け対象への取り付け（加工）も容易となる。
【００２２】
さらに、本発明に係る照明装置では、上記ライトガイドの上記光出射面から出射される光の光強度が最大となる範囲である光出射角度は、上記第１端部から上記第２端部に向かう方向を基準として、上記光出射面の法線方向に向けて０度よりも大きく４０度以下であることが好ましい。
【００２３】
上記構成によれば、その光出射角度が０度より大きく４０度以下であるので、照明部材の開状態においても、非照明空間側への出射光の漏洩を確実に防ぐことができる。
【００２４】
さらに、本発明に係る照明装置では、上記進行方向変更機構は、上記ライトガイドの内部に含まれる、上記光源から出射された光を拡散する光拡散物質であることが好ましい。
【００２５】
上記構成によれば、進行方向変更機構が、ライトガイドの内部に含まれる光拡散物質であるので、第１端部から入射した光を、ライトガイドの内部で拡散させることができる。それゆえ、当該光を、光出射面全体から効率よく出射することができる。
【００２６】
また、進行方向変更機構がライトガイドの内部に含まれているので、進行方向変更機構が照明装置の一方から入射した光を散乱してしまうことがない。それゆえ、照明装置の他方側からの視認性を向上させることができる。
【００２７】
さらに、本発明に係る照明装置では、上記ライトガイドは、第１の面と、当該第１の面と反対側の表面である第２の面とを有しているとともに、当該第１の面および当該第２の面のいずれかが、上記光出射面であり、
上記第１の面に対向して配置され、当該第１の面を保護する第１のカバー部材と、
上記第２の面に対向して配置され、当該第２の面を保護する第２のカバー部材と、を備え、
上記第１のカバー部材および第２のカバー部材は、透光性を有するとともに、互い異なる光反射率を有していることが好ましい。
【００２８】
上記構成によれば、上記ライトガイドの第１の面および第２の面にそれぞれ、第１のカバー部材および第２のカバー部材が備えられているので、ライトガイドの第１の面および第２の面が外部に露出することを防ぐことができる。それゆえ、外部からの衝撃によってライトガイドに傷が入り、ライトガイドが破損することを防ぐとともに、外部からの埃の侵入によってライトガイドから出射される光の出射効率が低下することを防ぐことができる。すなわち、ライトガイドの耐衝撃性および利便性を向上させることができる。
【００２９】
また、第１のカバー部材および第２のカバー部材は透光性を有しているので、ライトガイドから出射された光を照明装置の外部に照射することができる。
【００３０】
さらに、第１のカバー部材および第２のカバー部材は互いに異なる光反射率を有している。光源から出射され、ライトガイドの第１の面および第２の面から出射された光は、第１のカバー部材および第２のカバー部材のうち、光反射率が高いカバー部材では、その光が透過する光量よりも反射する光量を多くすることができる。一方で、光反射率が低いカバー部材では、その光が反射する光量よりも透過する光量を多くすることができる。すなわち、光反射率が低いカバー部材から、照明装置の外部へと出射される光量を多くし、光反射率が高いカバー部材から、照明装置の外部へと出射される光量を少なくすることができる。すなわち、照明装置は、光反射率が低いカバー部材が備えられた方向（所定の空間）への出射効率を向上させることができる。
【００３１】
それゆえ、光出射面側のカバー部材の反射率が他方のカバー部材の反射率よりも低くなるように、第１および第２のカバー部材を配置することにより、簡易な構造で、ライトガイドの耐衝撃性および利便性を向上させるとともに、光源から出射された光の所定の空間への出射効率を向上させることができる。
【００３２】
さらに、本発明に係る照明装置は、照明の主対象となる照明空間と、当該照明空間以外の空間である非照明空間とを仕切るように配置されているとともに、上記光出射面が上記第１の面であり、
上記第１のカバー部材の上記導光部材と対向する面と反対側の面は、上記非照明空間に接しているとともに、
上記第２のカバー部材の上記導光部材と対向する面と反対側の面は、上記照明空間に接しており、
上記第１のカバー部材の光反射率は、上記第２のカバー部材の光反射率よりも高いことが好ましい。
【００３３】
上記構成によれば、ライトガイドから第１のカバー部材の方へ出射され、第１のカバー部材で反射した光の光量を、第２のカバー部材の方へ出射され、第２のカバー部材で反射した光の光量よりも多くすることができる。そのため、第２のカバー部材側（すなわち、光出射面として機能する第２の面側）への出射光量を多くすることができる。
【００３４】
また、第１のカバー部材が非照明空間側に、第２のカバー部材が照明空間側に配置されている。そのため、照明空間側へと出射される光の光量を多くすることができる。
【００３５】
それゆえ、照明の主対象となる照明空間への出射効率を向上させることができるので、光源から出射された光の利用効率を向上させることができる。
【００３６】
さらに、本発明に係る照明装置では、上記ライトガイドと上記第１のカバー部材とが離間して設けられているとともに、
上記ライトガイドと上記第２のカバー部材とが離間して設けられていることが好ましい。
【００３７】
上記構成によれば、ライトガイドと、第１および第２のカバー部材とは、それぞれ離間して設けられているため、これらの部材が接するように配置されたときに生じる、その接触面の密着度の不均一性に起因した干渉縞または光散乱が生じるのを防ぐことができる。すなわち、光の均一性が損なわれることを防ぐことができる。
【発明の効果】
【００３８】
本発明に係る照明装置は、第１端部、当該第１端部と反対側の端部である第２端部、および、当該第１端部から当該第２端部に向けて導光した光を出射する光出射面を有するライトガイドと、上記第１端部と対向して配置され、当該第１端部に光を出射する光源と、上記ライトガイドの内部または近傍に配置され、当該ライトガイドを導光した光の進行方向を変更し、上記光出射面から出射させる進行方向変更機構と、を備える照明部材と、上記第２端部において、上記照明部材を、上記照明部材が取り付けられる取り付け対象に対して、上記第２端部を軸として回動可能に固定する固定部材と、を備える構成である。
【００３９】
それゆえ、本発明の照明装置は、移動可能な照明部材を備えた場合であっても、光源から出射された光の所定の方向への出射効率の低下を防止することができるという効果を奏する。
【図面の簡単な説明】
【００４０】
【図１】本発明の一実施形態に係る照明モジュールの機能を説明するための図であり、（ａ）は照明モジュールの全体構成を示す概略図であり、（ｂ）は照明モジュールの側面断面を示す概略図であり、（ｃ）は照明部材が開いている状態であるときの当該照明モジュールの側面断面を示す概略図である。
【図２】上記照明モジュールの導光板断面におけるＬＥＤの非点灯時と点灯時との光線の進み方を示す概略図であり、（ａ）がＬＥＤの非点灯状態を示し、（ｂ）がＬＥＤの点灯状態を示す図である。
【図３】上記照明モジュールが天窓として設置されている例を示す概略図であり、（ａ）は上記照明モジュールが消灯している状態を示す図であり、（ｂ）は上記照明モジュールが点灯している状態を示す図である。
【図４】上記天窓としての照明モジュールの設置例を示す図であり、（ａ）は照明モジュールが備える照明部材が閉じている状態を示す図であり、（ｂ）は当該照明部材が開いている状態を示す図である。
【図５】上記照明モジュールの導光板断面におけるＬＥＤの点灯時の光線の進み方を説明するための概略図であり、（ａ）はＬＥＤの点灯時の光線の進み方の一例を示す図であり、（ｂ）はその光線の配光特性の測定データの一例を示す図である。
【図６】上記照明部材が開いている状態のときの、ＬＥＤから出射された光線の進む方向の一例を示す図である。
【図７】上記天窓としての照明モジュールの比較例であって、当該照明モジュールが備える照明部材が開いている状態のときの、ＬＥＤから出射された光線の進む方向の一例を示す図である。
【図８】本発明の別の実施形態に係る照明モジュールの機能を説明するための図であり、（ａ）は照明モジュールの全体構成を示す概略図であり、（ｂ）は照明モジュールの側面断面を示す概略図である。
【図９】上記照明モジュールが備える保護用ガラスの機能を説明するための図であり、（ａ）は導光板の両側に保護用ガラスが設けられている場合の、ＬＥＤが点灯している状態における導光板および保護用ガラスの側面断面を示す概略図であり、（ｂ）は導光板の片側に保護用ガラスが設けられている場合の、ＬＥＤが点灯している状態における導光板および一対の保護用ガラスの側面断面を示す概略図であり、（ｃ）は保護用ガラスが設けられていない場合の、ＬＥＤが点灯している状態における導光板の側面断面を示す概略図である。
【図１０】上記照明モジュールの変形例の機能を説明するための図であり、（ａ）は照明モジュールの全体構成を示す概略図であり、（ｂ）は照明モジュールの側面断面を示す概略図である。
【発明を実施するための形態】
【００４１】
〔実施形態１〕
本発明の実施の一形態について図１〜図７に基づいて説明すれば、以下のとおりである。本発明の一実施形態に係る照明装置は、住宅用玄関ドア等各種ドアと店舗用や各種施設用のドア、ドア以外の住宅用建材（パーティション（間仕切り）など）、建造物の壁面や床面、戸棚やキッチン収納等の家具、窓（天窓）、門柱、表札、また、公共向けエクステリア（フェンス、サイン、掲示板、誘導灯、手すり）に組み込むことが可能である。以下では特に、本発明の照明装置の一実施形態として、天窓に取り付けられる照明モジュール（照明装置）１について説明する。
【００４２】
なお、上記照明装置が組み込まれる構造体は、当該構造体の外側から内側へまたはその逆方向へ光を導くことが要求される構造体であればよい。また、複数の照明モジュール１を組み合わせて上記構造体を形成してもよい。また、上記照明装置は、レールを有する窓枠にはめ込まれ、当該レールに沿って移動可能な窓用部材として実現されてもよい。
【００４３】
＜照明モジュール１の構成＞
本実施の形態に係る照明モジュール１について、図１および図２に基づいて説明する。まず、図１を用いて、照明モジュール１の概略構成について説明する。図１は、本実施形態に係る照明モジュール１の機能を説明するための図であり、（ａ）は照明モジュール１の全体構成を示す概略図であり、（ｂ）は照明モジュール１の側面断面を示す概略図であり、（ｃ）は照明モジュール１が開いている状態であるときの照明モジュール１の側面断面を示す概略図である。なお、図１（ｂ）の領域Ａは、図１（ａ）の領域Ａの部分をより詳細に図示したものである。
【００４４】
図１（ａ）に示すように、照明モジュール１（照明装置、窓照明装置）は、フレーム６と、ヒンジ部１０（固定部材）と、窓枠１１（取り付け対象）と、照明部材２０とを備えている。本実施形態では、フレーム６を、照明部材２０の構成の一部として説明する。また、図１（ｃ）に示すように、照明モジュール１は、角度保持部材１２を備えている。
【００４５】
さらに、図１（ｂ）に示すように、照明部材２０は、導光板２（ライトガイド、導光部材）と、進行方向変更機構としての光拡散粒子２ｃ、ＬＥＤ４（光源）と、保持部材５と、フレーム６（枠体）と、緩衝部材７と、ベース部８とを備えている。この照明モジュール１では、ＬＥＤ４から出射された光（光線）は導光板２によって導光され、導光板２の両表面（図１（ｂ）に示す第１の面２ａおよび第２の面２ｂ）の少なくともいずれかから照明モジュール１の外部へと出射される。
【００４６】
本実施の形態では、照明モジュール１は矩形状であり、その大きさは、鉛直方向（高さ方向、ｘ方向）の長さが１６７ｍｍ、水平方向（横方向、ｙ方向）の長さが２３０ｍｍ、厚み（ｚ方向の長さ）が３２ｍｍであるが、これに限られない。すなわち、照明モジュール１の大きさおよび形状は、当該照明モジュール１が取り付けられる天窓の大きさ、その設置場所等に合わせて設定されていればよい。例えば、照明モジュール１の形状は、円形状、楕円形状であってもよい。なお、照明モジュール１が備える各部材の大きさおよび形状も、以下に示す大きさおよび形状に限定されるものではない。
【００４７】
＜ヒンジ部１０＞
ヒンジ部１０は、窓枠１１とフレーム６とを接続して、照明部材２０を窓枠１１に対して移動可能とするものである。これにより、図１（ｃ）に示す矢印方向に開閉可能な照明部材２０を有する照明モジュール１、すなわち開閉可能な窓としての機能を備えた照明モジュール１を実現することができる。
【００４８】
ヒンジ部１０は、一般的な蝶番の構造を有しているが、これに限らず、照明部材２０が開閉可能なように、窓枠１１とフレーム６とを接続することができればよい。
【００４９】
また、図１（ｂ）に示すように、ヒンジ部１０は、導光板２の第２端部２２（すなわち、ＬＥＤ４と対向している導光板２の第１端部２１とは反対側の端部）において、照明部材２０を、照明部材２０が取り付けられる窓枠１１に対して、第２端部２２を軸として回動可能に固定するものである。これにより、照明部材２０を移動可能としても、ＬＥＤ４から出射された光の所定の空間（照明の主対象となる照明空間）への出射効率の低下を防止することができる。
【００５０】
なお、本実施形態において、「照明部材２０が、第２端部２２を軸として回動する」とは、窓枠１１を含む平面（回動前の所定の位置（閉状態時）に照明部材２０があるときの第１の面２ａおよび第２の面２ｂと平行する平面）を基準平面とし、その基準平面に対して所定の角度を有するように、第２端部２２を軸として照明部材２０が移動することを指す。
【００５１】
また、本実施形態に係る照明モジュール１は、照明空間と、当該照明空間以外の空間である非照明空間とを仕切るように配置されている。例えば、建造物の屋内または室内側が照明空間であり、その屋外または室外側が非照明空間である場合には、照明モジュール１は、その屋内外または室内外を仕切るように配置されている。この場合、ヒンジ部１０は、導光板２の第２端部２２において照明部材２０を回動可能に固定することにより、照明空間と非照明空間との間における照明部材２０の開閉動作を可能にしている。
【００５２】
なお、ヒンジ部１０が設けられる位置と照明部材２０が備えるＬＥＤ４との位置関係については、＜光の出射方向について＞欄において説明する。
【００５３】
＜窓枠１１＞
窓枠１１は、照明モジュール１の外形を規定するものであり、照明モジュール１の見栄えを良くするものである。また、窓枠１１は、第２端部２２を軸として回動する可動部として機能する照明部材２０の位置を固定する固定部（シャーシ）として機能する。
【００５４】
窓枠１１の材質は、不燃性の観点から言えば金属であることが好ましく、軽量性および放熱性の観点から言えば、その中でも特にアルミニウムが好ましい。一方、窓枠１１の材質は、金属ではなく樹脂であってもよい。この場合、より断熱効果が高い照明モジュール１を提供することができる。
【００５５】
＜角度保持部材１２＞
角度保持部材１２は、ヒンジ部１０とは異なる部分において、フレーム６と窓枠１１とを連結（接続）する連結部として機能する。また、角度保持部材１２は、照明部材２０の回転角度が一定となるように照明部材２０を保持する。これにより、図１（ｃ）に示すように、ヒンジ部１０によって照明部材２０が回動可能となるだけでなく、開状態（開放状態）の照明部材２０を、導光板２の第１端部２１および第２端部２２に対応する、窓枠１１の両端部を結ぶ直線（図中の一点鎖線）に対して、任意の角度で保持することができる。すなわち、開状態の照明部材２０を所定の位置（基準平面から所定の角度だけ離れた位置）に固定することができる。それゆえ、照明部材２０の開状態に、ＬＥＤ４から出射された光によって照明空間を照明することができるとともに、照明モジュール１によって仕切られた２つの空間において、空気の入れ替えを行うことを可能とする。
【００５６】
角度保持部材１２は、開状態の照明部材２０を上記所定の位置に固定（支持）できる構造であればよく、例えば２つの板材とヒンジとから構成される。この場合、２つの板材の端部がヒンジによって接続され、２つの板材の、ヒンジによって接続された端部とは反対側のそれぞれの端部が、フレーム６または窓枠１１に接続される。なお、これに限らず、開状態の照明部材２０を上記所定の位置で固定できる機構であれば、どのような形状であってもよい。
【００５７】
また、角度保持部材１２の材質は、窓枠１１と同様、例えば、アルミニウム等の金属、または樹脂からなる。
【００５８】
＜照明部材２０＞
次に、照明部材２０の構成について説明する。照明部材２０は、ＬＥＤ４から出射された光を外部へと出射することにより、照明部材２０の外部を照明するものである。また、照明部材２０は、照明モジュール１が窓として機能するときに、外光を取り入れるものである。すなわち、照明部材２０は、外部の照明機能と採光機能とを併せ持つ部材である。以下、その詳細について説明する。
【００５９】
（導光板２）
導光板２は、図１（ｂ）に示すように、第１端部２１と、第１端部２１と反対側の端部である第２端部２２（第２の辺）と、第１端部２１から第２端部２２に向けて導光した光をその外部へと出射する第１の面２ａ、および第１の面２ａと反対側の表面である第２の面２ｂとを有するものである。
【００６０】
導光板２の第１端部２１（第１の辺の端面（側面））と対向する位置にＬＥＤ４が配置されており、第１端部２１からＬＥＤ４から出射された光が導光板２の内部に入光する（サイド入光）。導光板２は、ＬＥＤ４から出射された光をその内部において導光し、少なくとも第１の面２ａまたは第２の面２ｂから出射する。
【００６１】
ここで、第１の面２ａまたは第２の面２ｂは、ＬＥＤ４からの光を出射する光出射面として機能する。この「光出射面」とは、照明モジュール１の照明装置としての機能を考慮したときに、主として、照明モジュール１の外部の照明に寄与する側の面を指す。上述のように、照明モジュール１は、照明空間および非照明空間を仕切るように配置されている。それゆえ、本実施形態における「光出射面」とは、主として、照明空間に対向する導光板２の第１の面２ａまたは第２の面２ｂを指す。つまり、現実的には、光出射面として機能させる必要がない導光板２の表面（光出射面とは反対側の表面）から出射される光を完全に防止することはできないため、ＬＥＤ４から出射された光は、第１の面２ａおよび第２の面２ｂの両方から出射されてしまうが、本実施形態では、照明することを想定している空間側の導光板２の表面を「光出射面」と称することとする。また、光出射面となる第１の面２ａまたは第２の面２ｂから出射される光の光束（出射光束）が、照明空間（例えば屋内または室内）を照射する有効光束となる。以降の説明では、主として、第２の面２ｂが光出射面であるものとして説明する。
【００６２】
照明部材２０は、照明部材２０の閉状態時に、光出射面となる導光板２の第２の面２ｂが照明空間と対向するように配置されている。これにより、閉状態時には、少なくとも導光板２の第２の面２ｂから出射された光の全てを当該照射空間へと導くことができる。
【００６３】
また、上述のように、照明部材２０は、ヒンジ部１０によって、導光板２の第２端部２２（すなわち、ＬＥＤ４と対向している導光板２の第１端部２１とは反対側の端部）において、窓枠１１に対して第２端部２２を軸として回動可能に固定されている。すなわち、照明部材２０は、導光板２の１つの端部（辺）に取り付けられたヒンジ部１０により回動可能であり、ＬＥＤ４から出射された光が、当該１つの端部とは反対側の端部から導光板２へと入射する構成となっている。
【００６４】
また、導光板２は透光性を有する。この「透光性」とは、光を通す（透過する）ことを意味し、導光板２が必ずしも透明体であることを意味するものではない。すなわち、導光板２は、光を透過さえすれば、その外観が例えば乳白色に見えてもよい。本実施の形態では、ＬＥＤ４の非点灯時において、導光板２は、可視光に対して９０％程度の透過率を有しているので、採光性が高い照明モジュール１を実現できる。
【００６５】
導光板２の材質としては、例えば、メタクリル樹脂（ＰＭＭＡ）またはアクリル系樹脂からなる有機ガラスを含むガラス材が挙げられる。その他、ＭＳ樹脂、ポリカーボネート（ＰＣ）系樹脂、ポリエステル系樹脂、塩化ビニル系樹脂等の非点灯時に透過率の高い合成樹脂を使用できる。
【００６６】
また、本実施の形態では、導光板２の大きさは、水平方向の長さについては、窓枠１１の分、照明モジュール１の水平方向の長さよりも短くなっている。また、その鉛直方向の長さについては、窓枠１１の分に加えて、第１端部２１の近傍ににおけるＬＥＤ４の配置場所確保分、照明モジュール１の鉛直方向の長さよりも短くなっている。また、導光板２の厚みは１．５ｍｍである。
【００６７】
なお、導光板２の形状は、第１端部２１側にＬＥＤ４が配置され、その反対側の第２端部２２にヒンジ部１０が配置される構成であれば、照明モジュール１の形状にあわせて自由に設定できる。また、第１の面２ａおよび第２の面２ｂも自由に設定可能であり、例えば矩形以外の多角形（例えば５角形）、円形等であってもよい。また、導光板２は、必ずしも平板でなくてもよく（すなわち、面内で厚みが一様でなくてもよく）、湾曲していてもよい。
【００６８】
（進行方向変更機構）
また、照明部材２０は、導光板２の内部または近傍に、導光板２を導光した光の進行方向を変更し、光出射面である第２の面２ｂから出射させる進行方向変更機構を備えている。本実施形態の進行方向変更機構としては、例えば、以下に説明する「光拡散物質方式」と「光取り出し構造方式」とが挙げられる。
【００６９】
（光拡散物質方式）
本実施形態では、例えば図２（ｂ）に示すように、ＬＥＤ４から出射された光を拡散する光拡散粒子２ｃ（光拡散物質、光拡散剤）が、進行方向変更機構として導光板２の内部に含まれている。すなわち、進行方向変更機構が光拡散物質方式にて実現されている。この場合、第１端部２１から入射した光を、導光板２の内部で拡散させることにより、当該光の進行方向を変更することができるので、第２の面２ｂ全体から効率よく出射することができる。
【００７０】
また、光拡散粒子２ｃが導光板２の内部に含まれているので、光拡散粒子２ｃが照明モジュール１の一方（非照明空間側）から入射した光を散乱してしまうことがない。それゆえ、照明モジュール１の他方側からの視認性（照明空間側から非照明空間側への視認性）を向上させることができる。例えば、照明モジュール１が天窓等に使用された場合には、屋外の景色が明瞭に見えるようになる。
【００７１】
ここで、図２は、光拡散粒子２ｃを含む導光板２の断面におけるＬＥＤ４の非点灯時と点灯時との場合の光線の進み方を示している。なお、図２では、簡略化のために導光板２の第１の面２ａおよび第２の面２ｂの一部のみを示している。
【００７２】
ＬＥＤ４の非点灯時には、図２（ａ）に示すように、第１の面２ａに太陽光などの外光が照射されると、当該外光は、導光板２の内部を透過して第２の面２ｂから出射する。一方、ＬＥＤ４の点灯時には、図２（ｂ）に示すように、導光板２は、ＬＥＤ４から出射された光を導光し、導光板２の内部に含まれる光拡散粒子２ｃによって拡散し、第１の面２ａおよび第２の面２ｂから出射可能である。
【００７３】
ここで、上述のように、本実施形態の導光板２は、主として、照明空間と対向する第２の面２ｂが光出射面として機能する。一般に、光拡散粒子２ｃが導光板２の内部に均等に分布している場合には、図２（ｂ）に示すように、第１の面２ａおよび第２の面２ｂの両方から均等に光が出射される。それゆえ、本実施形態では、上記第２の面２ｂからの光の出射効率を高めるように、例えば、その光拡散粒子２ｃの分布が調整されている。なお、保護用ガラス（保護カバー材）を備えることにより光出射面への出射効率を高める手法については、実施形態２で説明する。
【００７４】
このように、照明モジュール１は、ＬＥＤ４の非点灯時には採光窓として機能する一方、ＬＥＤ４の点灯時には、照明モジュール１の周辺部（特に、第２の面２ｂ側の照明空間）を照明することができる。また、導光板２の内部に光拡散粒子２ｃが含まれていることにより、消灯状態での導光板２の透明性が向上するため、非照明空間（例えば屋外）が明るい場合には、より多くの出射光束を照明空間（例えば屋内）側に入光することができる。
【００７５】
光拡散粒子２ｃが導光板２の内部に含まれる構成の場合、導光板２として、例えば、旭化成製デラグラスＡＬ９９７等を用いることができる。
【００７６】
（光取り出し構造方式）
また、上記の光拡散物質方式ではなく、ＬＥＤ４からの光を散乱させて、当該光の進行方向を変更する光取り出し構造方式が採用されてもよい。この光取り出し構造方式では、進行方向変更機構が導光板２の表面（導光板２の近傍）に配置された構成となる。当該方式では、例えば、光拡散性を有するパターン（光散乱体）が印刷されていてもよいし、インクジェット技術によって導光板２と屈折率の異なる略半球状（マイクロレンズ）の構造が設けられていてもよいし、サンドブラストなどによって粗面が形成されていてもよい（導光板２の表面に凹凸加工が施されてもよい）。また、導光板２の表面にプリズムなどの微細加工がなされていてもよい。
【００７７】
この場合であっても、第１端部２１から入射した光を、導光板２の第２の面２ｂの近傍において散乱させることができるので、光出射面となる第２の面２ｂ全体から効率よく出射することができる。
【００７８】
ただし、光取り出し構造方式の場合、ＬＥＤ４から出射された光だけでなく、照明モジュール１の外部から入射する光も散乱してしまうため、照明空間側から非照明空間側への視認性が低下してしまう可能性がある。それゆえ、当該視認性を考慮した場合には、進行方向変更機構として、上述の光拡散物質方式を採用することが好ましい。
【００７９】
（ＬＥＤ４）
ＬＥＤ４は、照明モジュール１の光源として機能する。ＬＥＤ４は、図１（ｂ）に示すように、導光板２の第１端部２１の近傍に設けられており、その発光面の向き（光の出射方向）が導光板２側を向くように配置されている。すなわち、ＬＥＤ４は、ヒンジ部１０が取り付けられる第２端部２２とは反対側である第１端部２１に対向するように配置されており、第２端部２２を含め、それ以外の端部には配置されていない。この配置が優れた点については、＜光の出射方向について＞欄にて説明する。
【００８０】
本実施の形態では、ＬＥＤ４の発光面は天面であり、ＬＥＤ４は、基板９の上に備えられ、基板９の、ＬＥＤ４が載置された面と反対側の面がベース部８に固定されている。ＬＥＤ４、基板９およびベース部８は、例えば接着剤や両面テープ等によって固定されている。なお、発光面の向きが導光板２の第１端部２１側を向くようにＬＥＤ４が配置されていれば、サイド出射型の発光ダイオードであってもよい。この場合、ＬＥＤ４が載置された基板９は、保持部材５または導光板２自体に固定される。
【００８１】
ＬＥＤ４には、図示しない配線またはコネクタによって基板９を介して電力供給される。
【００８２】
ＬＥＤ４が載置される基板９に関し、ＬＥＤ４が実装されている面（ＬＥＤ４が載置される側の面）は、ＬＥＤ４から出射された光を効率的に反射させて導光板２に結合させるため（光結合効率の向上を図るため）には、白色であることが好ましい。この場合、一般的に白色レジストなどが施される。なお、ＬＥＤ４の実装面は、ＬＥＤ４から出射された光を効率的に反射させることが可能であれば、白色である必要は必ずしもなく、その他の明色であってもよい。
【００８３】
さらに、上記光結合効率の向上を図るために、ＬＥＤ４の発光面の周辺部位、すなわちＬＥＤ４の周辺に位置する保持部材５の一部に、反射性を有するシート等が貼り付けられていることがより好ましい。反射性を有するシートは、ＰＥＴ（ポリエチレンテレフタラート）やＰＣ（ポリカーボネート）などからなり、外観が白く、高い光反射率を有するものが好ましいが、金属が蒸着された鏡面のものであっても良い。更に言えば、保持部材５に光反射率が高い部材を用いてもよい。
【００８４】
また、照明モジュール１の光源としてはＬＥＤ４に限られず、例えばＣＣＦＬ等の光源であってもよい。しかし、電力消費が少なく長寿命である点を考慮すれば、発光ダイオードであることが好ましい。
【００８５】
（保持部材５）
保持部材５は、導光板２を固定することによって、照明部材２０の外枠を構成するフレーム６およびベース部８に保持するものである。保持部材５と導光板２とは、例えば接着剤や両面テープ等で固定されている。なお、導光板２の所定の位置にネジ孔を設け、ネジを締め付けることにより導光板２を固定してもよい。
【００８６】
また、図１（ｂ）に示すように、保持部材５によって、導光板２の第１端部２１および第２端部２２が固定されている。第１端部２１および第２端部２２を固定することにより、少なくとも光出射面として機能する第２の面２ｂからの光の進行が妨げられるのを防ぐことができる。すなわち、少なくとも第２の面２ｂから出射される光の出射効率を低下させることなく、導光板２を固定することができる。なお、図１（ｂ）では、導光板２の第１端部２１および第２端部２２を固定しているが、これに限らず、その他の端部を固定してもよい。また、出射効率を考慮しなければ、導光板２の端部で固定されていなくてもよい。
【００８７】
保持部材５の材質としては、不燃性の観点から言えば金属であることが好ましい。その中でも、軽量性および放熱性の観点から言えば、アルミニウムがより好ましい。これらの点を考慮しなければ、例えばアクリル樹脂等、導光板２を保持することが可能な材質であれば、特に限定されるものではない。
【００８８】
（フレーム６）
フレーム６は、導光板２の全端部を囲むように配置されている。すなわち、フレーム６は、可動部として機能する照明部材２０の枠体（シャーシ）として機能する。また、フレーム６は、照明モジュール１を密封構造とするとともに、窓枠１１と同様、照明モジュール１の見栄えを良くするものである。照明モジュール１を密封構造とすることにより、室内（屋内）等の特定空間の断熱効果を高めることができる。
【００８９】
フレーム６の材質は、不燃性の観点から言えば、保持部材５と同様、金属であることが好ましく、軽量性および放熱性の観点から言えば、その中でも特にアルミニウムが好ましい。一方、フレーム６の材質は、金属ではなく樹脂であってもよい。この場合、より断熱効果が高い照明モジュール１を提供することができる。
【００９０】
また、図１に示すように、フレーム６にヒンジ部１０が取り付けられていることにより、ヒンジ部１０を導光板２の第２端部２２に直接接続することにより、照明部材２０を窓枠１１に固定した場合に比べ、その固定強度を向上させることができる。また、照明部材２０の窓枠１１への取り付けも容易となる。なお、この点を考慮しなければ、ヒンジ部１０を導光板２の第２端部２２に直接接続して、当該第２端部２２を窓枠１１にを固定してもよい。
【００９１】
（緩衝部材７）
また、導光板２と保持部材５との間には、ボロンなどの緩衝部材７を介在させることが好ましい。これにより、導光板２を傷つけることなく、保持部材５が導光板２を保持するのに十分な力を、当該部材に与えることができる。すなわち、導光板２を、保持部材５によって確実に固定することができる。
【００９２】
（ベース部８）
ベース部８は、保持部材５および基板９が設置、固定される部材である。すなわち、保持部材５を介して、導光板２がベース部８に固定されるとともに、基板９を介してＬＥＤ４がベース部８に固定される。
【００９３】
ベース部８の材質もフレーム６と同様、金属、特にアルミニウムであることが好ましい。
【００９４】
なお、ベース部８は、フレーム６と別体ではなく、フレーム６の一部であってもよい。
【００９５】
＜実施例：天窓＞
次に、図３および図４に基づき、上述した照明モジュール１が、例えば建造物等の構造体に設けられたときの具体的な実施例について以下に説明する。以下では、主として、照明モジュール１が天窓（照明モジュール７０）として使用される場合について説明する。
【００９６】
なお、一般的な天窓の大きさとしては、鉛直方向（高さ方向、ｘ方向）の長さが６００ｍｍ、水平方向（横方向、ｙ方向）の長さが６００ｍｍ程度であり、照明モジュール１の大きさは当該天窓の大きさに合わせた大きさとする。なお、天窓（照明モジュール７０）の大きさは、上記大きさに限られないことは言うまでもない。
【００９７】
図３は、天窓として設置された照明モジュール７０（照明装置、窓照明装置）を示す概略図であり、（ａ）は照明モジュール７０が消灯している状態を示し、（ｂ）は照明モジュール７０が点灯している状態を示す。
【００９８】
図３（ａ）および（ｂ）に示すように、照明モジュール７０は、天井７１（建造物の屋根、屋根部、取り付け対象）に配設されており、導光板２の第１の面２ａは屋外側に位置し、第２の面２ｂは屋内側に位置している。すなわち、本照明モジュール７０は、建造物の窓に取り付けられる窓照明装置（天窓照明装置）として機能する。
【００９９】
照明モジュール７０は、導光板２が透光性を有しているため、消灯時には採光を行う天窓として機能する。そのため、昼間は太陽光を効率よく屋内に取り入れることができる。また、昼夜を問わず、屋外の景色を屋内から視認できる（特に夜間においては、夜空を観察することができる）。一方、点灯時には、導光板２がＬＥＤ４から出射された光を導光し、光出射面である第２の面２ｂから有効光束として出射するので、屋内照明として機能する。そのため、外光がない場合においても、屋内を照明することが可能になる。すなわち、照明モジュール７０は、天窓としての機能を果たしつつ、屋内を上方（屋根側）から効率よく照明することができる。
【０１００】
また、図４は、照明モジュール７０の設置例を示す図である。図４（ａ）に示すように、照明部材２０が閉じている場合には、図３に示すように、照明モジュール７０の採光機能と照明機能とを有効に働かせることができる。また、照明モジュール７０は、図４（ｂ）に示すように、ヒンジ部１０により導光板２の第２端部２２を固定し、第２端部２２を軸として照明部材２０を回動させて、照明部材２０を開いている状態（開状態）にすることができる。
【０１０１】
このように、照明モジュール７０は、ヒンジ部１０により住宅の天井７１に固定された、開閉動作可能な照明部材２０を有している。照明モジュール７０が天井に設けられているので、照明部材２０を開放することにより、床部との高低差による気圧差に起因する風が発生しやすい。そのため、屋内（室内）に空気の流れを容易に作ることができ、屋内外（室内外）の間で、円滑に空気の入れ替えを行うことができる。
【０１０２】
なお、照明モジュール１は、図３および図４に示す住宅用の天窓としてだけでなく、一般商業施設の天窓や、公共施設の天窓等、昼間の採光と夜間の照明の効果が必要とされる部位に採用することができる。
【０１０３】
また、シースルー型の太陽電池を本照明モジュール７０に対して屋外側に設置または貼付を行うことで、昼間は採光および発電を行い、夜間は昼間の発電電力を用いて照明として用いることができるとともに、屋外側へ漏れ出る損失光を太陽電池にて回収することで低消費電力に寄与することが可能になる。
【０１０４】
また、本照明モジュール７０を例えば、洗面台および浴室等に設置されている鏡の全部または一部に貼り付けることで、消灯時は透明のために通常の鏡として機能を阻害することはなく、点灯時においては貼り付け部が面照明として機能することで、鏡にて視認したい部分を最も近い位置から光照射することが可能な照明としての機能を持たせることが可能になる。
【０１０５】
＜光の出射方向について＞
次に、図５〜図７に基づき、導光板２から出射された光の出射方向について説明する。まず、図５を用いて、導光板２の断面におけるＬＥＤ４の点灯時の光線の進み方を説明する。図５は、当該光線の進み方を説明するための概略図であり、（ａ）はＬＥＤ４の点灯時の光線の進み方の一例を示す図であり、（ｂ）はその光線の配光特性の測定データの一例を示す図である。
【０１０６】
図５（ａ）に示すように、上記進行方向変更機構がその内部または近傍に配置された導光板２を照明モジュール１に用いた場合、ＬＥＤ４から出射された光（光束）は、第１端部２１から導光板２に入射し、導光板２において全反射を繰り返して、その内部を導光する。そして、その導光時に、上記進行方向変更機構により全反射条件を満たさない角度に進路を変更されることにより、上記光は導光板２から出射する。
【０１０７】
このとき、図５（ａ）に示すように、導光板２の第２の面２ｂの法線方向を０°とし、第１端部２１から第２端部２２に向かう方向（ＬＥＤ４から出射された光が第１端部２１から入射される方向）を９０°とした場合、図５（ｂ）に示すような、導光板２の出射光の配光特性の一例を示す測定データが得られる。同図に示すように、第２の面２ｂの法線方向よりも、ＬＥＤ４から出射された光が第１端部２１から入射される方向に傾いた方向、すなわち、法線方向から６０度以上傾いた方向に出射される。
【０１０８】
すなわち、同図に示す測定データは、上記進行方向変更機構によって拡散または散乱された後の光の進行方向（当該機構による変更後の光の進行方向）は、その拡散または散乱前の光の進行方向（第１端部２１から入射し、進行方向変更機構へ向かう光の進行方向であって、当該機構による変更前の光の進行方向）に依存することを示している。そのため、当該拡散または散乱後の光の強度分布は、第２の面２ｂの法線方向よりも、拡散または散乱前の光の進行方向へと拡がることになる。したがって、第１端部２１と対向してＬＥＤ４が配置されている場合、第２の面２ｂから出射される光の光量は、第１端部２１側よりも第２端部２２側の方が多くなる。
【０１０９】
この導光板２から出射される光の配光特性、すなわち拡散または散乱後の光の進行方向の、拡散または散乱前の光の進行方向への依存性は、回動可能な照明部材２０を備える照明モジュール１において、第２の面２ｂから出射された光の照明空間への出射効率の低下を防止しようとする場合に、考慮すべき課題のひとつとなる。すなわち、当該出射効率の低下を防止するように、照明部材２０の回動動作の軸となる導光板２の端部と、ＬＥＤ４と対向する導光板２の端部との配置関係を決定する上で、上記の依存性を十分に考慮する必要がある。
【０１１０】
上記配置関係について、図６および図７を用いて説明する。図６は、本実施形態の照明モジュール７０の照明部材２０が開いている状態のときの、ＬＥＤ４から出射された光線の進む方向の一例を示す図である。一方、図７は、照明モジュール７０の比較例である照明モジュール１７０が備える照明部材１２０が開いている状態のときの、ＬＥＤ４から出射された光線の進む方向の一例を示す図である。なお、図６および図７では、照明モジュール１が天窓として機能する場合を例に説明するが、当然ながら、上述したその他の窓等として機能した場合も同様である。
【０１１１】
図７では、照明モジュール１７０の照明部材１２０も、図３（ｂ）に示すように、照明モジュール７０と同様、照明部材２０が閉状態であるときの位置（回動前の所定の位置）において照明空間を照明している。
【０１１２】
しかし、照明モジュール１７０では、ＬＥＤ４と対向している第１端部２１において、ヒンジ部１０が、照明部材２０を天井７１に対して第１端部２１を軸として回動可能に固定しているため、照明部材２０が回動して開状態となった場合、第２の面２ｂから出射される光の出射範囲の、屋外側への拡がりが大きくなる。すなわち、図７に示すように、照明部材２０の開状態においては、上記の依存性により、屋外側への出射光量が多くなり、屋内への出射光量が低下してしまう。
【０１１３】
これは、照明部材１２０の開状態においては、照明モジュール１７０からの出射光の大半が屋内ではなく、屋外側を照明することを意味する。つまり、照明モジュール１７０では、上記開状態においては、ＬＥＤ４を点灯しても屋内が明るくならず、ＬＥＤ４から出射された光の照明空間への利用効率（照明効率）が非常に低くなる。
【０１１４】
一方、本実施形態の照明モジュール７０では、ヒンジ部１０が、ＬＥＤ４が対向して配置された第１端部２１ではなく第２端部２２において、照明部材２０を天井７１（窓枠１１）に対して第２端部２２を軸として回動可能に固定している。すなわち、ヒンジ部１０が存在しない第１端部２１側にＬＥＤ４が配置されている。この構成によれば、上記依存性に伴い、図６に示すように、軸となる第２端部２２側への出射光量を多くすることができるため、照明部材２０が回動して開状態となった場合であっても、第２の面２ｂから出射される光の出射範囲を照明空間内とすることができる。それゆえ、図７に示す照明モジュール１７０のような第２の面２ｂから非照明空間への出射光の漏洩を防ぐこと、すなわち照明空間への出射光量の低下を防ぐことができる。
【０１１５】
このように、本実施形態の照明モジュール１および７０によれば、回動可能（移動可能）な照明部材２０を備えた場合であっても、ＬＥＤ４から出射された光の照明空間への出射効率の低下を防止することができる。すなわち、照明部材２０が開状態であっても、照明空間側を効率よく照明することができるため、照明効率（ＬＥＤ４から出射された光の利用効率）に優れた照明モジュール１および７０を提供することができる。
【０１１６】
特に、照明モジュール１が天窓等の窓照明装置として機能する場合には、建造物の内部に設けられた部屋の室内（屋内）である照明空間に第２の面２ｂが対向し、当該部屋の室外（屋外）である非照明空間に第１の面２ａが対向するように配置される。そのため、照明空間である部屋の室内（屋内）への出射効率を向上させることができる。
【０１１７】
また、照明モジュール１は、図５（ｂ）に示すように、上記法線方向から所定の角度だけ傾いた方向に、ＬＥＤ４からの光を第２の面２ｂから出射させる導光板２を有しているとも言える。すなわち、照明モジュール１において、第２の面２ｂから出射される光の光強度が最大となる範囲である光出射角度は、第１端部２１から第２端部２２に向かう方向を基準として、上記法線方向に向けて０度よりも大きく４０度以下となる。このような光出射角度を有する導光板２を用いることで、照明部材２０の開状態においても、非照明空間側への出射光の漏洩を確実に防ぐことができる。また、上記光出射角度にあわせて、照明部材２０の回動範囲を設定することができるので、照明空間を効率よく照明することができる。
【０１１８】
〔実施形態２〕
本発明の実施の一形態について図８〜図１０に基づいて説明すれば、以下のとおりである。なお、実施の形態１と同様の部材に関しては、同じ符号を付し、その説明を省略する。
【０１１９】
＜照明モジュール１ａ＞
図８は、照明モジュール１ａの機能を説明するための図であり、（ａ）は照明モジュール１ａの全体構成を示す概略図であり、（ｂ）は照明モジュール１ａの側面断面を示す概略図である。なお、図８（ｂ）の領域Ｂは、図８（ａ）の領域Ｂの部分をより詳細に図示したものである。
【０１２０】
照明モジュール１ａ（照明装置、窓照明装置）は、図８（ａ）および（ｂ）に示すように、第１端部２１と対向してＬＥＤ４が配置されているとともに、ヒンジ部１０が、第２端部２２側において、照明部材３０を窓枠１１に対して第２端部２２を軸として回動可能に固定している。これにより、照明モジュール１と同様、回動可能な照明部材３０を備えた場合であっても、ＬＥＤ４から出射された光の照明空間への出射効率の低下を防止することができる。すなわち、照明部材３０が開状態であっても、照明空間側を効率よく照射することができる。
【０１２１】
一方、照明モジュール１ａは、照明部材３０が、第１の面２ａおよび第２の面２ｂのそれぞれと対向して配置された保護用ガラス３ａおよび３ｂ（第１のカバー部材、第２のカバー部材）を備えている点で、照明モジュール１とは異なる。すなわち、この照明モジュール１ａでは、ＬＥＤ４から出射された光は導光板２によって導光され、導光板２の両表面（図８（ｂ）に示す第１の面２ａおよび第２の面２ｂ）にそれぞれ対向する保護用ガラス３ａおよび３ｂから照明モジュール１ａの外部へと出射される。
【０１２２】
（保護用ガラス３ａおよび３ｂ）
保護用ガラス３ａは、第１の面２ａに対向して配置され、第１の面２ａを保護する。また、保護用ガラス３ｂは、第２の面２ｂに対向して配置され、第２の面２ｂを保護する。すなわち、保護用ガラス３ａおよび３ｂは、導光板２の第１の面２ａおよび第２の面２ｂに略平行に設けられた、導光板２を保護するための一対の平板である。なお、導光板２と同様、必ずしも平板である必要はない。
【０１２３】
また、保護用ガラス３ａおよび３ｂは、例えば接着剤や両面テープ等により、緩衝部材７を介して、保持部材５およびフレーム６に対して固定されている。また、保護用ガラス３ａおよび３ｂは、保持部材５およびフレーム６によって固定されることにより、導光板２を挟持している。
【０１２４】
この構成により、導光板２は、照明モジュール１ａの外部に露出することがない。それゆえ、外部からの衝撃（例えば風雨）によって傷が入ったり、吸湿によって導光板２の特性変化が生じたりする等に起因して、導光板２が破損することを防ぎ、導光板２の照明器具としての品位低下を防ぐことができる。また、外部からの埃の侵入によって導光板２から出射される光の出射効率が低下することを防ぐことができる。すなわち、照明モジュール１ａの外部からの影響を抑制し、導光板２の耐衝撃性および利便性を向上させることができる。また、第１の面２ａおよび第２の面２ｂのそれぞれに保護用ガラス３ａおよび３ｂが対向して配置されているので、非照明空間（屋外）側からの影響だけでなく、照明空間（屋内）側からの影響も抑制することができる。
【０１２５】
また、保護用ガラス３ａおよび３ｂは導光板２を挟むように設けられ、かつ平板であるため、照明モジュール１ａの設置スペースの縮小化を図ることができる。
【０１２６】
保護用ガラス３ａおよび３ｂは、透光性（透明性）を有している。それゆえ、導光板２から出射された光を照明モジュール１ａの外部に出射することができる。
【０１２７】
さらに、保護用ガラス３ａおよび３ｂは、互いに異なる光反射率を有している。すなわち、保護用ガラス３ａおよび３ｂのうちの一方の光反射率が、他方の光反射率よりも高い。これは、保護用ガラス３ａおよび３ｂの一方の光透過率が、他方の光透過率よりも低いともいえる。この構成によれば、ＬＥＤ４の点灯時に、ＬＥＤ４から出射された光の所定の方向（導光板２から見て、光反射率が低い保護用ガラスの方向）への出射効率を向上させることができる。この理由については、＜出射光量について＞で後述する。
【０１２８】
保護用ガラス３ａおよび３ｂの材質は、透光性を有し、かつ、光反射率を有するものであればよく、例えば導光板２と同じ材質を使用できるが、導光板２の保護（耐衝撃性）および耐久性の観点からいえば、ガラス材またはポリカーボネート樹脂からなることが好ましい。なお、ガラス材からなる保護用ガラス３ａおよび３ｂは、カバーガラスと称することもできる。
【０１２９】
なお、一般に、完全な光透過性（光透過率が１００％）を有する物質は実在せず、いかに光透過率が高い物質であっても、当該物質の表面において、照射された光の一部を反射する反射性を有している。すなわち、保護用ガラス３ａおよび３ｂに照射される光のうちの透過成分以外は、保護用ガラス３ａおよび３ｂの表面での反射光となる。それゆえ、保護用ガラス３ａおよび３ｂは、光透過性（透光性）および光反射性の両方を兼ね備えている。
【０１３０】
また、上述のように、本実施の形態に係る保護用ガラス３ａおよび３ｂは、互いに光反射率が異なっている（すなわち、互いに光透過率が異なっている）。この構成を実現するために、保護用ガラス３ａおよび３ｂのそれぞれは、異なる材質（例えば、一方がガラス材で、他方がポリカーボネート）であるか、同じ材質であっても反射特性が異なっている（例えば、光拡散粒子２ｃの含有量が保護用ガラス３ａおよび３ｂのそれぞれにおいて異なっている）。
【０１３１】
特に、導光板２に光拡散粒子２ｃが含まれる構成では、導光板２からの出射光の主たる出射方向は、出射面となる第１の面２ａおよび第２の面２ｂの法線方向に対して傾いている（図５参照）。このため、一方の保護用ガラスにガラス材を使用することにより、比較的光反射率を高くすることができ、反射による効果（すなわち、上記所定の方向への出射効率の向上）が期待できる。
【０１３２】
なお、実用性を考慮して、すなわち、光反射率が高い保護用ガラス３ａおよび３ｂの光の透過性を十分に確保した上で、光反射率が低い保護用ガラス３ａまたは３ｂからの光の出射効率を向上させるためには、保護用ガラス３ａおよび３ｂのうち、他方よりも光反射率が高い保護用ガラスの光反射率は、５％以上６０％以下であることが好ましい。
【０１３３】
また、本実施の形態では、保護用ガラス３ａおよび３ｂの大きさは、照明モジュール１ａ全体の大きさとほぼ同一であり、その厚みは３ｍｍである。
【０１３４】
さらに、保護用ガラス３ａおよび３ｂは、例えば、ＵＶ（紫外線）やＩＲ（熱線）等をカットする機能を有していてもよい。これらの機能を有する場合、より実用的な照明モジュール１ａを実現することができる。この場合、例えば、保護用ガラス３ａおよび３ｂに、上記機能を有する物質を蒸着させる、または、上記機能を有するフィルムを貼り付けることにより、保護用ガラス３ａおよび３ｂに上記機能を持たせることができる。
【０１３５】
（保持部材５）
本実施形態の保持部材５は、導光板２を挟持するとともに、保護用ガラス３ａおよび３ｂを固定することによって、これらの部材をフレーム６およびベース部８に保持するものである。すなわち、本実施形態の保持部材５は、実施形態１の保持部材５と同様、導光板２を保持するという点で共通の機能を有するが、さらに保護用ガラス３ａおよび３ｂも保持している。保持部材５と、導光板２、保護用ガラス３ａおよび３ｂのそれぞれとは、例えば接着剤や両面テープ等で固定されている。なお、導光板２、保護用ガラス３ａおよび３ｂの所定の位置にネジ孔を設け、ネジを締め付けることによりこれらの部材を固定してもよい。
【０１３６】
また、図８（ｂ）に示すように、保持部材５によって、導光板２の第２端部２２と、保護用ガラス３ａおよび３ｂの端部とが互いに固定されている。
【０１３７】
ここで、導光板２と、保護用ガラス３ａおよび３ｂとがそれぞれ接するように配置された場合、いかに精密に固定したとしても、導光板２と、保護用ガラス３ａおよび３ｂとのそれぞれの間に微小な凹凸が形成されたり、その貼り合わせ時に、その間に気泡が挟まってしまう可能性が高い。つまり、導光板２と、保護用ガラス３ａおよび３ｂとを完全に密着させることができず、部材間に僅かな間隙ができてしまい、この間隙（すなわち、密着度の不均一性）に起因した干渉縞または光散乱が生じてしまう可能性が高い。この場合、照明モジュール１ａから出射される光の均一性が損なわれてしまう。
【０１３８】
本実施の形態では、図８（ｂ）に示すように、保持部材５による固定により、導光板２と保護用ガラス３ａとが離間して設けられているとともに、導光板２と保護用ガラス３ｂとが離間して設けられている。すなわち、導光板２と、保護用ガラス３ａおよび３ｂとのそれぞれの間には、空気層からなる間隔Ｓが形成されている。この構成により、上述のような光の均一性が損なわれることを防ぐことができる。すなわち、導光板２内部の導光成分に対する保護用ガラス３ａおよび３ｂに起因した影響（導光板２の光学性能に対する影響）を排除でき、導光板２が導光している光を、導光板２に含まれる光拡散粒子２ｃ等の進行方向変更機構によってのみ、導光板２の外部へと出射することができる。また、空気層が設けられることにより、より断熱効果が向上する。
【０１３９】
この離間した上での保持部材５による固定を実現するために、本実施の形態では、保持部材５の形状は、その側面断面において、その中央付近が水平方向（図８（ｂ）のｚ方向）に延伸した形状となっている。
【０１４０】
なお、上記光の均一性を考慮しなければ、保持部材５の形状は、導光板２、保護用ガラス３ａおよび３ｂを保持できる形状であればよい。その大きさについても同様である。また、保持部材５を設けず、例えば接着剤や両面テープ等により、導光板２と保護用ガラス３ａおよび３ｂとを、保護用ガラス３ａおよび３ｂとフレーム６とを、それぞれ直接貼り付けて固定してもよい。
【０１４１】
＜出射光量について＞
次に、図９に基づき、ＬＥＤ４の点灯時における、照明モジュール１ａの出射光量について説明する。図９は、本実施の形態に係る保護用ガラス３ａおよび３ｂの機能を説明するための図である。具体的には、図９は、保護用ガラス３ａおよび３ｂの透過性および反射性に関する説明を行うための図である。
【０１４２】
本実施の形態に係る照明モジュール１ａは、照明の主対象となる照明空間と、当該照明空間以外の空間である非照明空間とを仕切るように配置される。例えば、建造物の屋内または室内側が照明空間とし、その屋外または室外側が非照明空間とする場合には、照明モジュール１ａは、その屋内外または室内外を仕切るように配置される。また、保護用ガラス３ａの光反射率が保護用ガラス３ｂの光反射率よりも高い場合、照明モジュール１ａは、導光板２の第１の面２ａと対向する保護用ガラス３ａの面が非照明空間に接する（非照明空間を向く）ように、導光板２の第２の面２ｂと対向する保護用ガラス３ｂの面が照明空間と接する（照明空間を向く）ように配置される。すなわち、照明モジュール１ａは、保護用ガラス３ａおよび３ｂのうち、光反射率が高い保護用ガラス側が、非照明空間となるように配置される。
【０１４３】
保護用ガラス３ａおよび３ｂの光反射率が互いに異なる照明モジュール１ａが、上記のように配置される理由について、以下に説明する。以下では、導光板２の内部に光拡散粒子２ｃが略均一に分布していることを前提として説明する。すなわち、以下の説明では、ＬＥＤ４から出射された光は、当該光拡散粒子２ｃによって拡散されることにより、導光板２の第１の面２ａおよび第２の面２ｂからほぼ均等な割合で出射されている。
【０１４４】
図９（ｃ）に示すように、保護用ガラス３ａおよび３ｂを設けていない場合、ＬＥＤ４の点灯時において、導光板２から出射される出射光ＡＯおよびＡＩは、上述のように導光板２の内部の光拡散粒子２ｃによって拡散される。その結果、導光板２から出射される出射光ＡＯおよびＡＩの光量の割合は、屋外（非照明空間）側と屋内（照明空間）側とでほぼ１：１となる。
【０１４５】
すなわち、ＬＥＤ４から出射された光が、導光板２の第１の面２ａおよび第２の面２ｂから均等に出射される場合においては、保護用ガラス３ａおよび３ｂが設けられていない場合、または、保護用ガラス３ａおよび３ｂが設けられていても、保護用ガラス３ａおよび３ｂの反射率がほぼ同じである場合には、屋外側および屋内側のそれぞれに、ほぼ同量の出射光ＡＯおよびＡＩが照明モジュール１ａの外部へと出射されることになる（すなわち、出射光ＡＯおよびＡＩの強度比がほぼ同一）。この場合、照明の主対象ではない非照明空間にも、照明空間とほぼ同量（ＬＥＤ４から出射された光の半分程度）の出射光ＡＯが導光板２から出射されているので、ＬＥＤ４から出射された光の、照明の主対象である照明空間への出射光ＡＩとしての利用効率が低い状態であるといえる。すなわち、所定の方向、すなわち照明空間を効率よく照明することを目的とした照明モジュール１ａにおいては、照明モジュール１ａの外部に出射される出射光ＡＯの光量分が損失となる。
【０１４６】
本実施の形態では、保護用ガラス３ａおよび３ｂが設けられている。図９（ａ）に示すように、導光板２の第１の面２ａおよび第２の面２ｂからそれぞれ出射された出射光ＡＯおよびＡＩのうち、その一部は、保護用ガラス３ａおよび３ｂによって反射され、反射光ＢＯおよびＢＩとして導光板２へと再び入射するとともに、それ以外の部分は、保護用ガラス３ａおよび３ｂを透過し、透過光ＣＯおよびＣＩとして屋外または屋内へと出射される。
【０１４７】
さらに、図９（ａ）では、保護用ガラス３ａの光反射率が、保護用ガラス３ｂの光反射率よりも高い。それゆえ、反射光ＢＯの光量は反射光ＢＩの光量よりも多くなるので、その光量の差分が出射光ＡＩに加えられ、透過光ＣＩとして、照明モジュール１ａの外部（屋内側）へと出射される。すなわち、透過光ＣＩの光量は、出射光Ａ０の光量＋（反射光ＢＯの光量−反射光ＢＩの光量）となり、図９（ｃ）の場合に比べ、屋内側への出射光（透過光ＣＩ）の光量を多くすることができる。つまり、第１の面２ａから出射された光の一部を保護用ガラス３ａによって屋内照明用の光に変換することで、図９（ｃ）の場合に比べ、（反射光ＢＯの光量−反射光ＢＩの光量）の分、屋内側を明るくすることができる。
【０１４８】
一方、屋外側への出射光（透過光ＣＯ）の光量は、出射光ＡＯの光量−反射光ＢＯの光量となる。それゆえ、図９（ｃ）の場合に比べ、屋外側への出射光（透過光ＣＯ）の光量を少なくすることができる。すなわち、上述した損失分を少なくすることができる。
【０１４９】
換言すれば、上記のように、光反射率が低い（光透過率が高い）保護用ガラスが照明空間側となるように照明モジュール１ａを配置することにより、導光板２から非照明空間側へと出射された光の、保護用ガラスでの反射量を増大させ（すなわち、当該光の透過量を抑制し）、導光板２から照明空間側へと出射された光の、保護用ガラスでの透過量を増大させる（すなわち、当該光の反射量を抑制する）ことができる。すなわち、照明モジュール１ａは、光反射率が低い保護用ガラスから照明空間側へと出射される光の光量を、光反射率が高い保護用ガラスから非照明空間側へと出射される光の光量よりも多くすることができる。
【０１５０】
そのため、第１の面２ａおよび第２の面２ｂからほぼ同量の光が出射される導光板２を備えている場合であっても、非照射空間への出射光の一部を照射空間側へと向けることが可能となる。つまり、屋内側への出射光（透過光ＣＩ）の強度を、屋外側への出射光（透過光ＣＯ）の強度に対して強くすることができる。それゆえ、照明空間側の出射効率を向上させることができ、ＬＥＤ４から出射された光の利用効率を向上させることができる。すなわち、ＬＥＤ４の点灯時において、照明空間側を非照明空間側よりも明るく照明することができる。
【０１５１】
このように、本実施形態の照明モジュール１ａでは、導光板２の第１の面２ａおよび第２の面２ｂから出射される光（ＬＥＤ４から出射された光）が均等であったとしても、第１の面２ａから出射された光の一部は、保護用ガラス３ａで反射した後、導光板２を透過し、第２の面２ｂから出射される光となる。それゆえ、第１の面２ａおよび第２の面２ｂから光が均等に出射される場合であっても、照明空間側に配置された第２の面２ｂを光出射面として機能させることができる。
【０１５２】
また、上記では、第１の面２ａおよび第２の面２ｂから光が均等に出射される場合について説明したが、実施形態２の照明モジュール１ａは、実施形態１と同様、導光板２の一方の表面が光出射面として機能している場合（主として当該表面から光が出射している場合）にも適用可能である。この場合、保護用ガラス３ｂよりも光反射率が高い保護用ガラス３ａを第１の面２ａ側に配置することにより、導光板２の第１の面２ａから漏洩した光を、保護用ガラス３ａで反射させることにより、光出射面として第２の面２ｂから出射させることができる。それゆえ、この場合には、非照明空間側への漏洩を確実に防止することができ、ＬＥＤ４から出射された光の、照明空間への利用効率をさらに向上させることができる。
【０１５３】
したがって、照明モジュール１ａは、照明モジュール１と同様、照明部材３０が開状態であっても、導光板２の光出射面から出射される光の、照明空間への出射効率の低下を防止することができる。さらに、照明モジュール１ａは、導光板２がその両表面から均等に光を出射する構成であっても、光反射率が低い方の保護用ガラスに対向する導光板２の表面を光出射面として機能させることができる。また、実施形態１のように、保護用ガラス３ａおよび３ｂがなくても導光板２の一方の表面が光出射面として機能している場合には、光出射面と対向して光反射率が低い方の保護用ガラスを配置し、かつ、当該保護用ガラスを照明空間に接するように配置することにより、導光板２から出射された光の非照明空間側への漏洩を確実に防止できる。
【０１５４】
なお、保護用ガラス３ａの光反射率よりも保護用ガラス３ｂの光反射率の方が高い場合には、保護用ガラス３ｂが非照明空間と接するように、かつ、保護用ガラス３ａが照明空間と接するように設置されれば、上記と同様の効果を奏する。この場合には、第１の面２ａが光出射面として機能することになる。すなわち、第１の面２ａおよび第２の面２ｂは、そのいずれかが光出射面として機能する。
【０１５５】
＜変形例＞
次に、図１０に基づき、照明モジュール１ａの変形例である照明モジュール１ｂについて説明する。図１０は、照明モジュール１ｂの機能を説明するための図であり、（ａ）は照明モジュール１ｂの全体構成を示す概略図であり、（ｂ）は照明モジュール１ｂの側面断面を示す概略図である。なお、図１０（ｂ）の領域Ｃは、図１０（ａ）の領域Ｃの部分をより詳細に図示したものである。
【０１５６】
照明モジュール１ｂ（照明装置、窓照明装置）は、図１０（ａ）および（ｂ）に示すように、第１端部２１と対向してＬＥＤ４が配置されているとともに、ヒンジ部１０が、第２端部２２側において、照明部材４０を窓枠１１に対して第２端部２２を軸として回動可能に固定している。そのため、照明モジュール１および１ａと同様、照明部材４０が開状態であっても、照明空間側を効率よく照明することができる。
【０１５７】
一方、照明モジュール１ｂは、照明部材４０が、第１の面２ａと対向して配置された保護用ガラス３ａを備えている（すなわち、第２の面２ｂ側には保護用ガラス３ｂが配置されていない）点で、照明部材３０とは異なる。この構成であっても、少なくとも非照明空間（屋外側）からの影響（上述の風雨等の外部からの衝撃や、外部からの埃の侵入等）を抑制することができる。そして、この照明モジュール１ｂは、照明空間と非照明空間とを仕切り、かつ、保護用ガラス３ａが非照明空間を向くように配置される。
【０１５８】
以下、図９に基づき、ＬＥＤ４の点灯時における、照明モジュール１ｂの出射光量について説明する。
【０１５９】
図９（ｂ）に示すように、導光板２の第２の面２ｂから出射された出射光ＡＩは、屋内側へと出射される。一方、第１の面２ａから出射された出射光ＡＯのうち、その一部は、保護用ガラス３ａによって反射され、反射光ＢＯとして導光板２へとと再び入射するとともに、それ以外の部分は、保護用ガラス３ａを透過し、透過光ＣＯとして屋外へと出射される。
【０１６０】
上記反射光ＢＯは、導光板２を透過し、出射光ＡＩに加えられる。すなわち、出射光ＡＩ＋反射光ＢＯの光量が、導光板２から照明空間側へと出射される光の光量となる。それゆえ、図９（ｃ）の場合に比べ、照明空間側への出射光の光量を多くすることができる。すなわち、図９（ｃ）の場合に比べ、反射光ＢＯの光量の分、屋内側を明るくすることができる。
【０１６１】
一方、非照明空間側への出射光（透過光ＣＯ）の光量は、出射光ＡＯの光量−反射光ＢＯの光量となる。それゆえ、図９（ｃ）の場合に比べ、屋外側への出射光（透過光ＣＯ）の光量を少なくすることができる。
【０１６２】
したがって、照明モジュール１ｂは、照明モジュール１ａと同様、照明部材４０が開状態であっても、導光板２の光出射面から出射される光の、照明空間への出射効率の低下を防止することができるとともに、導光板２がその両表面から均等に光を出射する構成であっても、照明空間側の第２の面２ｂを光出射面として機能させることができる。また、実施形態１のように第２の面２ｂが光出射面として機能している場合には、第２の面２ｂが照明空間を向き、保護用ガラス３ａが非照明空間を向くように配置することで、導光板２から出射された光の非照明空間側への漏洩を確実に防止できる。
【０１６３】
なお、保護用ガラス３ａの光透過率は５０％以上であることが好ましい。この場合、より優れた採光性を維持できるとともに、第２の面２ｂから出射される光の光強度を大きくすることができる。
【０１６４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６５】
本発明は、光源の非点灯時には採光性を有し、点灯時には光源から出射された光によって所定の方向を照明するとともに、開閉動作可能な構造体に使用される部材として好適に利用することができ、特に天窓等として好適に利用できる。
【符号の説明】
【０１６６】
１    照明モジュール（照明装置、窓照明装置）
１ａ  照明モジュール（照明装置、窓照明装置）
１ｂ  照明モジュール（照明装置、窓照明装置）
７０  照明モジュール（照明装置、窓照明装置）
２    導光板（ライトガイド）
２ａ  第１の面（光出射面）
２ｂ  第２の面（光出射面）
２ｃ  光拡散粒子（進行方向変更機構、光拡散物質）
３ａ  保護用ガラス（第１のカバー部材、第２のカバー部材）
３ｂ  保護用ガラス（第１のカバー部材、第２のカバー部材）
４    ＬＥＤ（光源）
６    フレーム（枠体）
１０  ヒンジ部（固定部材）
１１  窓枠（取り付け対象）
１２  角度保持部材
２０  照明部材
２１  第１端部
２２  第２端部
３０  照明部材
４０  照明部材
７１  天井（取り付け対象）
【図１】
2014049261.tif 000003
【図２】
2014049261.tif 000004
【図３】
2014049261.tif 000005
【図４】
2014049261.tif 000006
【図５】
2014049261.tif 000007
【図６】
2014049261.tif 000008
【図７】
2014049261.tif 000009
【図８】
2014049261.tif 000010
【図９】
2014049261.tif 000011
【図１０】
2014049261.tif 000012